(57)【要約】　　　（修正有）【課題】直線状に連結された間仕切装置群の任意の位置に他の間仕切装置を枝状の姿勢にして連結することを可能ならしめる。【解決手段】本体部４の上端部は笠木６で構成され、下端部は巾木７で構成されている。笠木６と巾木７とには、その左右全長にわたって延びる第１係合溝２１が形成されている。笠木６と巾木７との端部を切除することにより、本体部４のコーナーに切欠き部２３が形成されている。切欠き部２３には、ベース２５と押さえ部材２６とがボルト３４及びねじ３８で固定される。コーナー金具２４に、第１係合溝２１に連通する両端開放式の第２係合溝３２が形成されている。係止体２７は第１係合溝２１と第２係合溝３２との任意の部位に係合させることができる。【選択図】　　　　図３
2004036104.tif 000002
【特許請求の範囲】
【請求項１】
４ヶ所のコーナー部のうち少なくとも１ヶ所に切欠き部を設けた四角形の壁体と、前記壁体の切欠き部に設けたコーナー金具とを備えており、
前記壁体とコーナー金具とには、壁体の広巾面と対峙した正面視で互いに連通した状態で手前側に開口する蟻溝状等の係合溝が左右全長にわたって形成されており、
更に、前記コーナー金具のうち壁体の側端面と連なる面にも、前記係合溝と同様の係合溝が形成されている、
間仕切装置。
【請求項２】
前記壁体のうちコーナー金具と同じ高さ位置には、壁体の正面視で左右全長にわたって延びる第１係合溝が形成され、前記コーナー金具のうち壁体の広巾面に連続する面には、壁体の正面視において前記第１係合溝と連通して左右に開口する第２係合溝が形成されており、前記コーナー金具のうち壁体の側端面に連なる面には第３係合溝が形成されており、
前記コーナー金具のうち第３係合溝の箇所に、他の間仕切装置における任意の係合溝に係合し得る係止体を取り付けできるようになっている、
請求項１に記載した間仕切装置。
【請求項３】
前記壁体は、当該壁体の大部分を構成する四角形の本体部と、本体部の上端を構成する笠木並びに本体部の下端部を構成する巾木とを備えており、笠木及び巾木の左右長さを本体部の左右幅寸法よりも短い寸法とすることにより、壁体の各コーナー部に切欠き部を形成しており、
前記笠木と巾木との前後両面に前記第１係合溝を形成している一方、
前記コーナー金具は、前記切欠き部に重なるベースと、このベースに重なる押さえ部材と、これらを固定するねじ類とを備えており、ベースと押さえ部材とで係止体が抜け不能に保持されるようになっている、
請求項２に記載した間仕切装置。
【発明の詳細な説明】
【０００１】
【発明の属する技術分野】
本発明は、衝立式や机上設置式のような間仕切装置に関するものである。
【０００２】
【従来の技術】
衝立式の間仕切装置（ローパーティション）は、その複数枚を平面視で直線状に連結したり、平面視でＬ字状やＴ字状、十字状などに接続して使用されることが殆どである。
【０００３】
このような間仕切装置同士の接続形態としては、間仕切装置の左右端部を構成する縦フレーム（或いは支柱）を互いに突き合わせた状態で接続することが多いが、例えば２つの間仕切装置を平面視でＴ字状に連結するにおいて、一方の間仕切装置の広巾面に他方の間仕切装置の端面を突き合わせた状態で連結したい場合がある。
【０００４】
このような要望に応えるため、例えば特開平１１−１３１６３５号公報には、一方の間仕切装置の壁面に他方の間仕切装置の端面が当たるような姿勢で両間仕切装置を接続するにおいて、一方の間仕切装置を、その大部分を構成する四角形のパネル本体とその上端と下端とに固着されたオプション仕様のレール部材とで構成し、上下レール部材の表面と裏面とに蟻溝状の係合溝を形成し、他方の間仕切装置のコーナー部に連結部材を固着し、この連結部材に、前途係合溝に嵌まる係止爪を一体に設けることが記載されている。
【０００５】
【発明が解決しようとする課題】
前記公報の構成によると、一方の間仕切装置と他方の間仕切装置とを、他方の間仕切装置の端面を一方の間仕切装置の壁面のうちの任意の部位に当接させた状態に連結することができるが、レール部材を取り付けている間仕切装置と連結部材を取り付けた間仕切装置との２種類の間仕切装置が必要になるため、融通が効かないという欠点があった。
【０００６】
本発明はこのような現状を契機として成されたもので、使い勝手の良い間仕切装置を提供することを目的とすもるものである。
【０００７】
【課題を解決するための手段】
請求項１の発明に係る間仕切装置は、４ヶ所のコーナー部のうち少なくとも１ヶ所に切欠き部を設けた四角形の壁体と、前記壁体の切欠き部に設けたコーナー金具とを備えており、前記壁体とコーナー金具とには、壁体の広巾面と対峙した正面視で互いに連通した状態で手前側に開口する蟻溝状等の係合溝が左右全長にわたって形成されており、更に、前記コーナー金具のうち壁体の側端面と連なる面にも、前記係合溝と同様の係合溝が形成されている。
【０００８】
請求項２の発明では、請求項１において、前記壁体のうちコーナー金具と同じ高さ位置には、壁体の正面視で左右全長にわたって延びる第１係合溝が形成され、前記コーナー金具のうち壁体の広巾面に連続する面には、壁体の正面視において前記第１係合溝と連通して左右に開口する第２係合溝が形成されており、前記コーナー金具のうち壁体の側端面に連なる面には第３係合溝が形成されており、前記コーナー金具のうち第３係合溝の箇所に、他の間仕切装置における任意の係合溝に係合し得る係止体を取り付けできるようになっている。
【０００９】
請求項３の発明では、請求項２において、前記壁体は、当該壁体の大部分を構成する四角形の本体部と、本体部の上端を構成する笠木並びに本体部の下端部を構成する巾木とを備えており、笠木及び巾木の左右長さを本体部の左右幅寸法よりも短い寸法とすることにより、壁体の各コーナー部に切欠き部を形成している。
【００１０】
そして、前記笠木と巾木との前後両面に前記第１係合溝を形成している一方、前記コーナー金具は、前記切欠き部に重なるベースと、このベースに重なる押さえ部材と、これらを固定するねじ類とを備えており、ベースと押さえ部材とで係止体が抜け不能に保持されるようになっている。
【００１１】
【発明の作用・効果】
請求項１の発明によると、壁体のコーナー部にコーナー金具を取り付けた間仕切装置において、壁体の周囲を囲うように係合溝を形成することができる。このため、係合溝を使用するにおいてその使い勝手を向上させることができる。
【００１２】
例えば、係合溝を利用して間仕切装置を連結する場合、２つの間仕切装置を平面視でＴ字状やＬ字状に連結できることはもとより、３つの間仕切装置を、その端部が互いに重なった状態で平面視Ｔ字状に連結することもでき、連結態様の自由性を向上できる。
【００１３】
また、係合溝の利用方法としては、連結には限らず、例えば係合溝にフック類を引っ掛けて、これに物品の吊支などに使用することも考えられるが、この場合も、フック類は壁体の周囲の任意の部位に引っ掛けることができるため、使い勝手が良い。
【００１４】
請求項３のように構成すると、笠木と巾木とに第１係合溝を形成するものであるため、高さの異なる間仕切装置を製造するにおいて１種類の笠木や巾木を兼用することができるため、コストを抑制できると共に、美観を向上できる利点がある。
【００１５】
また、請求項３のようにコーナー金具の係止体を上下の部材とは別体に構成すると、連結する必要がない部位では係止体だけを取り外して上下の部材はそのまま間仕切装置に締結しておけば良く、例えば連結する場合と連結しない場合とでコーナー金具の平面視での姿勢を変えて壁体に取り付けるような工夫は必要ないため、それだけ構造を簡単化できる。
【００１６】
【発明の実施形態】
次に、本発明の実施形態を図面に基づいて説明する。
【００１７】
▲１▼．概要
図１は間仕切装置１の設置状態の一例を示す斜視図である。この図の実線部分では、便宜的に間仕切装置１を平面視で直線状に連結しているが、一点鎖線で示すように、直線状に連結された間仕切装置群に対して平面視で直交した状態で別の間仕切装置１を枝状に連結して、枝状の間仕切装置１の間に机天板２を配置することもできる（実際にはこのような使い方が多いと言える）。
【００１８】
また、机上に机上用間仕切装置（机上用目隠しパネル）３を配置し、この机上用間仕切装置３の後部を、主たる間仕切装置１に連結することも可能である。
【００１９】
間仕切装置１は、その大部分を構成する本体部４と、本体部４の左右両端部に装着した縦フレーム５と、本体部４の上端に装着した笠木６と、本体部５の下端に装着した巾木６とを備えており、これらで壁体が構成されている。左右両端部にはアジャスター８を取り付けている。
【００２０】
次に、図２以下の図面を参照して間仕切装置１の具体的構造を説明する。図２は間仕切装置１の一部破断斜視図、図３は要部の分離斜視図、図４は要部の斜視図、図５は図１のＶ−Ｖ視断面図である。
【００２１】
図２に示すように、本体部４は、ハニカム構造等の芯材９の表裏両面にパネル１０を張ったサンドイッチ構造になっている。パネル１０の表面には更に化粧材１１を張っている。化粧材１１は金属板製でも良いしクロスでも良い。
【００２２】
表裏パネル１０の四周の間には溝が空いており、左右の縦溝１２に縦フレーム５を嵌め込み装着し、上部の水平溝１３に笠木６を嵌め込み装着し、下部の水平溝１４に巾木７を嵌め込み装着している。
【００２３】
縦フレーム５は軽金属等を素材にした押し出し加工品で中空状に形成されており、表裏パネル１０の端面に重なるようになっている。また、本体部パネル４の縦溝１２に入り込んだ部分のうち最奥には第１円弧状中空部１５が形成されており、中間部には、第２円弧状中空部１６と、これを挟んで前後両側に位置した２つの第３円弧状中空部１７とが形成されている。第２円弧状中空部１５には金属製の芯棒１８を嵌入している。
【００２４】
笠木６は合成樹脂又は軽金属の押し出し加工によって中空状に形成されており、その一部が本体部４の上水平溝１３に嵌まり込んでいる。また、笠木６には、化粧パネル１０の上面に重なる下フランジ１９とその上方に位置した上フランジ２０とが形成されており、上部フランジ１９，２０を鉤状に形成することにより、笠木６の表裏両面に、面横向きＴ型で蟻溝状の第１係合溝２１が全長にわたって延びるように形成されている。
【００２５】
巾木７は笠木６と同じ部材を使用しており、笠木６とは配置態様が上下逆になるだけであるので、説明は省略する。
【００２６】
縦フレーム５と笠木６と巾木７とは、それぞれ表裏パネル１０に接着しても良いし、芯材９にねじで固定しても良い。縦フレーム５と笠木６及び巾木７を一体に連結している場合は、これらは本体部４の溝１３〜１４に嵌め込んだだけでも良い。
【００２７】
図３に示すように、縦フレーム５の上端面は表裏パネル１０の上端面と揃うように設定されており、更に、笠木６の左右端部は、縦フレーム５が露出する程度に切除されている。同様に、縦フレーム５の下端面は表裏パネル１０の下端面と揃うように設定されており、更に、巾木７の左右端部は、縦フレーム５が露出する程度に切除されている。丸棒１８は縦フレーム５の上下に突出している。
【００２８】
このように縦フレーム５と笠木６と巾木７とを端部において切除することにより、本体部４の４つのコーナー部に切欠き部２３を形成している。そして、各切欠き部２３にコーナー金具２４を配置している。次に、このコーナー金具２４について、図３〜図５に基づいて説明する。ここでは本体部４の上端のコーナー部に取付けるコーナー金具２４について説明する。
【００２９】
▲２▼．コーナー金具
コーナー金具２４は、本体部４の切欠き部２３と平面視で同じ形状に形成されたベース２５と、ベースに上方から重なる押さえ部材２６と、上ベース２５，２６で挟まれる下向きコ字状の係止体２７とを備えている。
【００３０】
ベース２５のうち笠木５に近い部位には、笠木５と同じ高さで平面視四角形の突起２８が形成さており、他方、押さえ部材２６は、突起２８と干渉しないように笠木５の方向に向けて開口した平面視コ字状に形成されている。ベース２５のうち突起２８を設けた部分は笠木５の中空部に部分的に入り込むようになっている。押さえ部材２６は突起２８に嵌まることによって位置決めされている。
【００３１】
そして、ベース２５には、笠木５の第１係合溝２１と連通する上向きのサイド溝２８が左右全長にわたって形成されており、また、突起２８を挟んで笠木５と反対側の端部には、係止体２７の下向き足部２７ａが上方から嵌まるエンド溝３０が上向きに開口している。
【００３２】
他方、押さえ部材２５には、ベース２５のうち突起２８を挟んで笠木５と反対側に位置するスペーサ部３１が形成されており、これにより、サイド溝２９とエンド溝３０との箇所に係止体２７が嵌まる外向き開口の隙間が空くように設定しており、これにより、上ベース２５，２６を重ねた状態で、サイド溝２９の箇所に第２係合溝３２が形成され、エンド溝３０の箇所に第３係合溝３３が形成されている。
【００３３】
押さえ部材２６におけるスペーサ部３１の下面には、縦フレーム５における丸棒１８の上向き突出部に被嵌する筒部３１ａが形成されており、押さえ部材２６は、筒部３１ａを貫通して丸棒１８にねじ込まれるボルト３４で縦フレーム５に締結されている。押さえ部材２６には、ボルト３４の頭を隠す座ぐり穴３５を空けている。なお、筒部３１ａは無くても良い。
【００３４】
ベース２５には、押さえ部材２６の筒部３１ａがきっちり嵌まる逃がし穴３７が空いている。また、逃がし穴３７を挟んだ前後両側に設けた貫通穴３７から、縦フレーム５の第３円弧状中空部１７にねじ（タッピンねじ）３８をねじ込んでおり、これによってベース２５を縦フレーム５に締結している。ベース２５の突起２８には、皿ビス４０をねじ込みできる雌ねじ穴４１が空いている。なお、皿ビス４０を縦フレーム５の第１円弧状中空部１５にねじ込むことも可能である。
【００３５】
また、押さえ部材２６には、ベース２５のエンド溝３０と対向する上エンド溝４２が形成されており、このため、係止体２７はその足部２７ａを上向きにした姿勢でも第３係合溝３３に嵌め込むことができる。
【００３６】
本体部４における下端の切欠き部２３の箇所では、コーナー金具２４は上記の説明と姿勢が上下逆向きになるだけである。そして、図５に示すように、下端のコーナー金具２４においては、ベース２５の突起２８に形成した雌ねじ穴４１にアジャスター８を下方からねじ込んでいる。４つのコーナー部で同じ種類のコーナー金具２４を使用していることから、上部のコーナー部に設けたコーナー金具２４では、ベース２５の雌ねじ穴４１を隠すために皿ビス４０をねじ込んでいる。
【００３７】
▲３▼．連結の態様
以上の構成において、間仕切装置１を平面視で直線状に連結する場合は、図５に示すように、係止体２７を、隣合った間仕切装置１の第３係合溝３３に差し渡した状態で嵌め込み、その状態で、押さえ部材２６で係止体２７を押さえ固定したらよい。なお、押さえ部材２６を完全に取り外さなくて、ボルト３４を緩めだけで取り外したり取り付けたりすることができる。
【００３８】
そして、笠木６及び巾木７の第１係合溝２１とコーナー金具２４の第２係合溝３２は一連に連続して左右に開口しているので、枝状に延びる間仕切装置を直線状に連結された間仕切装置群に対して平面視で直交した状態に連結するにおいて、同一種類の間仕切装置１でありながら、図６（Ａ）のようにコーナー金具２４の箇所で連結したり、図６（Ｂ）に示すように枝状の間仕切装置２４の端面が２つの間仕切装置１に同時に重なる状態で連結したり、或いは、図６（Ｃ）に示すように、枝状の間仕切装置１の端面を他の間仕切装置１の広巾面に突き合わせた状態で連結したりすることができる。図７は図６の　ＶＩＩ−ＶＩＩ視断面図である。
【００３９】
直線状に連結された間仕切装置群に多数の枝状間仕切装置１を連結して、隣合った枝状間仕切装置１の間に机天板２を配置することがあるが、本願発明によると、枝状間仕切装置１の連結位置は任意に設定できるため、各机天板２は、その左右長さに関係なく確実に配置することができる。
【００４０】
▲４▼．他の展開例
図８に示すように、床に立設した間仕切装置１に補助間仕切４４を積み重ねることもできる。この場合は、図９に示すように、補助間仕切４４をボルト４５で下方の間仕切装置１の笠木６に締結している。
【００４１】
本実施形態では笠木６の上面には凹所６ａが形成されているため、凹所６ａに前後ずれ不能に嵌まる形状のスペーサ板４６を補助間仕切４４にビス４７で締結することより、補助間仕切４４の安定性を図っている。
【００４２】
補助間仕切４４同士が平面視で交叉する場合は、本発明に係るコーナー金具２４を使用して連結すれば良い。また、図１に二点鎖線で示すように机上用パネル３を設ける場合は、机上用パネル３の後部上端に本願のコーナー金具２４を取り付けることにより、机上用パネル３を間仕切装置１の壁面に連結したら良い。
【００４３】
本実施形態のようにコーナー金具２４を利用してアジャスター８を取付けると、部材点数を抑制して構造を簡単化できる利点がある。
【００４４】
▲５▼．その他
本発明は上記の実施形態の他にも様々に具体化できる。例えば、係合溝が断面Ｔ字状の場合は、係止体をＨ字状に形成しても良い。また、係止体を分離方式にせず、コーナー金具の全体を一体の構造にすることもも可能である。
【００４５】
また、コーナー金具と笠木及び巾木とをねじで共締めしても良い。更に、間仕切装置の断面構造や骨組みなどは必要に応じて自由に設定できる。
【図面の簡単な説明】
【図１】間仕切装置の斜視図である。
【図２】間仕切装置１の一部破断斜視図である。
【図３】要部の分離斜視図である。
【図４】要部の斜視図である。
【図５】図１のＶ−Ｖ視断面図である。
【図６】連結の態様を示す平面図である。
【図７】図６（Ｃ）の　ＶＩＩ−ＶＩＩ視断面図である。
【図８】間仕切装置の使用例の示す図である。
【図９】図８のＩＸ−ＩＸ視断面図である。
【符号の説明】
１　間仕切装置
４　本体部
４　本体部
５　縦フレーム
６　笠木
７　巾木
２１　第１係合溝
２３　切欠き部
２４　コーナー金具
２５　ベース
２６　押さえ部材
２７　係止体
３４　ボルト
３８　ねじ
【図１】
2004036104.tif 000003
【図２】
2004036104.tif 000004
【図３】
2004036104.tif 000005
【図４】
2004036104.tif 000006
【図５】
2004036104.tif 000007
【図６】
2004036104.tif 000008
【図７】
2004036104.tif 000009
【図８】
2004036104.tif 000010
【図９】
2004036104.tif 000011